(57)【要約】【課題】リードスクリューとリードナットとを用いたレンズ駆動装置では、レンズの移動誤差を抑えるため、リードナットの回転止め、与圧スプリングその他の構成を必要とするため、小型化が困難であった。【解決手段】レンズ駆動装置２００は、ガイドシャフト２０１，２０２と、リードスクリュー２０４を有する駆動源とを備える。ガイドシャフト２０２には、ベアリング２１２が摺動可能に取り付けられ、このベアリング２１２に当接するようにレンズホルダ２０３が固定されている。レンズホルダ２０３には、レンズ２０５と、ガイドシャフト２０１に摺動可能に係合する溝部２０３ｇと、ガイドシャフト２０２と略平行な中心軸を有するコイルスプリング２０６とが取り付けられている。コイルスプリング２０６は、リードスクリュー２０４の側に突出する線状部分２０８を有し、線状部分２０８はリードスクリュー２０４の谷部２０４ｂに押圧されている。【選択図】図２
2011165272.tif 000002
【特許請求の範囲】
【請求項１】
互いに平行に配設された第１および第２のガイドシャフトと、
前記第１および第２のガイドシャフトに沿って移動可能な可動部と、
前記可動部を前記第１および第２のガイドシャフトに沿って移動させるリードスクリューを有する駆動源と
を備え、
前記可動部は、
前記第１のガイドシャフトに軸方向に摺動可能に取り付けられたベアリング部と、
前記ベアリング部に当接するように固定され、あるいは前記ベアリング部と一体に構成されたレンズホルダと、
前記レンズホルダに設けられ、前記ガイドシャフトの軸方向と略平行な光軸を有するレンズと、
前記レンズホルダに設けられ、前記第２のガイドシャフトに摺動可能に係合する摺動部と、
前記レンズホルダにおいて前記ベアリング部の近傍に設けられ、前記第１のガイドシャフトの軸方向と略平行な方向に中心軸が規定されるコイルスプリングと
を備え、
前記コイルスプリングは、前記リードスクリューの側に突出する線状部分を有し、当該線状部分が前記リードスクリューの谷部に押圧されていること
を特徴とするレンズ駆動装置。
【請求項２】
前記コイルスプリングの巻き線の間、および、コイルスプリングとレンズホルダとの当接部分に、粘弾性部材が充填されていることを特徴とする請求項１に記載のレンズ駆動装置。
【請求項３】
前記レンズホルダの前記摺動部は、前記第２のガイドシャフトの軸方向と平行に設けられた溝部であることを特徴とする請求項１または２に記載のレンズ駆動装置。
【請求項４】
前記レンズホルダと前記ベアリングとが、互いに別体として構成されていることを特徴とする請求項１から３までの何れか１項に記載のレンズ駆動装置。
【請求項５】
前記レンズホルダが、前記第１のガイドシャフトの軸方向に平行な２つの平面において前記ベアリング部に当接し、前記ベアリングに対して固定されていることを特徴とする請求項４に記載のレンズ駆動装置。
【請求項６】
前記コイルスプリングの前記線状部分が、前記リードスクリューの軸方向に対して略垂直な平面に沿って延在していることを特徴とする請求項１から５までの何れか１項に記載のレンズ駆動装置。
【請求項７】
前記レンズホルダは、前記第１および第２のガイドシャフトの間隔に略等しい全長を有し、前記第１および第２のガイドシャフトの間に前記レンズが取り付けられており、
前記リードスクリューは、前記レンズホルダの長手方向における外側に配設されていること
を特徴とする請求項１から６までの何れか１項に記載のレンズ駆動装置。
【請求項８】
前記レンズホルダは、前記第１のガイドシャフトと平行に延在する略円柱状の突起部を有し、前記突起部に前記コイルスプリングが巻き回されていることを特徴とする請求項１から７までの何れか１項に記載のレンズ駆動装置。
【請求項９】
請求項１から８までの何れか１項に記載のレンズ駆動装置を有することを特徴とする光ピックアップ装置。
【請求項１０】
有限系の対物レンズを有し、
前記レンズ駆動装置の前記レンズとして、カップリングレンズを有することを特徴とする請求項９に記載の光ピックアップ装置。
【請求項１１】
請求項１から８までの何れか１項に記載のレンズ駆動装置を、光ピックアップ装置に取り付ける方法であって、
前記光ピックアップ装置のベース部材に設けたシャフト取付部に、予め前記ベアリングを装着した前記第１のガイドシャフトと前記第２のガイドシャフトとを取り付ける工程と、
予め前記レンズおよび前記コイルスプリングを取り付けた前記レンズホルダを、前記第１および第２のガイドシャフトに取り付ける工程と
を含むことを特徴とするレンズ駆動装置の取り付け方法。
【請求項１２】
前記第１および第２のガイドシャフトを前記シャフト取付部に取り付ける工程と、前記レンズホルダを前記第１および第２のガイドシャフトに取り付ける工程とを、前記ベース部材の同じ側から行うこと
を特徴とする請求項１１に記載のレンズ駆動装置の取り付け方法。
【発明の詳細な説明】
【技術分野】
【０００１】
本発明は、光ディスク等の光学式媒体に対して情報の記録または再生を行うための光ピックアップ装置、およびこの光ピックアップ装置に用いられるレンズ駆動装置に関する。本発明は、また、レンズ駆動装置の光ピックアップ装置への取り付け方法に関する。
【背景技術】
【０００２】
一般に、光ディスク等の光学式媒体には、データ記録面を保護するため、データ記録面を覆う透明な透過層が設けられている。この透過層の厚みの差によって生じる球面収差を補正するため、従来の光ピックアップ装置では、レンズ駆動装置によりカップリングレンズあるいはビームエキスパンダレンズを光軸方向に移動させることにより、対物レンズに入射する光束の収束発散角を補正している。
【０００３】
レンズ駆動装置は、レンズを保持するレンズホルダを有しており、このレンズホルダは、光ピックアップ装置のベース部に配設された２本のガイドシャフトに沿って移動可能に支持されている。光ピックアップ装置のベース部には、リードスクリューが取り付けられたステッピングモータが配設されており、そのリードスクリューにはリードナットが螺合している。ステッピングモータによりリードスクリューが回転すると、リードナットが直進移動し、これに伴ってレンズホルダがガイドシャフトに沿って移動する（例えば、特許文献１、２参照）。
【先行技術文献】
【特許文献】
【０００４】
【特許文献１】特開２００８−６５０９３号公報（図１，３参照）
【特許文献２】特開２００７−２５７８０５号公報（図１，２，４参照）
【発明の概要】
【発明が解決しようとする課題】
【０００５】
上記のように構成されたレンズ駆動装置では、リードスクリューの回転に応じた距離だけレンズホルダを正確に移動させるために、リードナットとレンズホルダとを常に密着させておくこと、また、リードナットがリードスクリューの回転につられて回転しないようにすることが必要である。
【０００６】
そこで、例えば特許文献１に開示された光ピックアップ装置では、リードナットとレンズホルダとをガイドシャフトの軸方向に直交する面で互いに接触させ、移動方向の駆動力のみを伝達するよう構成している。
【０００７】
また、リードナットがリードスクリューの回転につられて回転しないようにするため、リードナットに突起部を設け、この突起部をリードナットの回転方向においてレンズホルダの所定箇所に当接させている。
【０００８】
また、レンズホルダが移動範囲のどの位置にあってもレンズホルダとリードナットとを密着させておくため、上記２本のガイドシャフトのうちの１本に与圧スプリングを取り付け、レンズホルダをリードナット側に付勢している。
【０００９】
また、特許文献２には、リードナットからレンズホルダへの振動伝達を抑制するため、リードナットとレンズホルダとの接触部に緩衝材等を設けることが開示されている。
【００１０】
しかしながら、特許文献１，２に開示された従来のレンズ駆動装置では、上述したように、リードナットの回転止めの構成と、リードナットからレンズホルダに軸方向の駆動力のみを伝達させる構成と、リードナットとレンズホルダとを密着させるための与圧スプリングとを必要とするため、レンズ駆動装置の小型化が難しい。
【００１１】
この発明は、上述のような課題を解消するためになされたもので、レンズを含む可動部を高い精度で移動させることができ、小型化が可能なレンズ駆動装置および光ピックアップ装置を提供するものである。
【課題を解決するための手段】
【００１２】
この発明に係るレンズ駆動装置は、互いに平行に配設された第１および第２のガイドシャフトと、第１および第２のガイドシャフトに沿って移動可能な可動部と、可動部を第１および第２のガイドシャフトに沿って移動させるリードスクリューを有する駆動源とを備える。可動部は、第１のガイドシャフトに軸方向に摺動可能に取り付けられたベアリング部と、ベアリング部に当接するように固定され、あるいはベアリング部と一体に構成されたレンズホルダと、レンズホルダに設けられ、ガイドシャフトの軸方向と略平行な光軸を有するレンズと、レンズホルダに設けられ、第２のガイドシャフトに摺動可能に係合する摺動部と、レンズホルダにおいてベアリング部の近傍に設けられ、第１のガイドシャフトの軸方向と略平行な方向に中心軸が規定されるコイルスプリングとを備える。コイルスプリングは、リードスクリューの側に突出する線状部分を有し、当該線状部分がリードスクリューの谷部に押圧されている。
【発明の効果】
【００１３】
本発明によれば、リードスクリューを有する駆動源と、線状部分がリードスクリューの谷部に押圧されたコイルスプリングとを用いることにより、リードナットを用いずに、レンズを含む可動部を高い精度で移動させることができる。そのため、従来のレンズ駆動装置に設けられていたリードナットの回転止め、与圧用スプリングその他の構成が不要になり、レンズ駆動装置を小型化することができる。
【００１４】
また、コイルスプリングの巻き線の間、およびコイルスプリングとレンズホルダとの間に粘弾性部材を設けることにより、可動部への振動伝達を抑制することができる。これにより、レンズ移動による例えば球面収差の補正を高精度かつ迅速に行うことができる。
【図面の簡単な説明】
【００１５】
【図１】本発明の実施の形態１における光ピックアップ装置を示す上面図である。
【図２】本発明の実施の形態１におけるレンズ駆動装置を示す斜視図である。
【図３】本発明の実施の形態１におけるレンズ駆動装置の可動部を示す斜視図である。
【図４】本発明の実施の形態１におけるレンズ駆動装置の光ピックアップ装置への取り付け方法を説明するための斜視図である。
【図５】比較例のレンズ駆動装置の作用を説明するための上面図（Ａ）および側面図（Ｂ）である。
【図６】本発明の実施の形態１におけるレンズ駆動装置の作用を説明するための上面図（Ａ）および側面図（Ｂ）である。
【発明を実施するための形態】
【００１６】
実施の形態１．
以下、図面を参照して本発明の実施の形態１におけるレンズ駆動装置および光ピックアップ装置について説明する。実施の形態１におけるレンズ駆動装置は、光ピックアップ装置に用いられるものであり、小型化に適し、さらに、構成部品を積み上げ方式で一方向に組み立てることが可能な構成を有している。
【００１７】
＜レンズ駆動装置および光ピックアップ装置の構造＞
図１は、本発明の実施の形態１におけるレンズ駆動装置２００を搭載した光ピックアップ装置１０１を示す上面図である。なお、図１では、実施の形態１におけるレンズ駆動装置２００の構成要素、光ピックアップ装置の主要な光学部品、および光ピックアップ装置１０１の全体構成を分かり易く示すため、他の構成要素（例えば対物レンズアクチュエーター等）を省略している。
【００１８】
図１に示す光ピックアップ装置１０１は、光学式媒体としてのＢＤ（Ｂｌｕ−Ｒａｙ  Ｄｉｓｃ）、ＤＶＤ（Ｄｉｇｉｔａｌ  Ｖｅｒｓａｔｉｌｅ  Ｄｉｓｃ）およびＣＤ（Ｃｏｍｐａｃｔ  Ｄｉｓｃ）に対して情報の記録または再生を行う光ディスク装置に用いられる。
【００１９】
そのため、光ピックアップ装置１０１は、ＢＤ用光学系として、ＢＤ用ＬＤ（Ｌａｓｅｒ  Ｄｉｏｄｅ）ユニット１０３、ＢＤ用カップリングレンズ２０５、ＢＤ用立ち上げミラー１０７、およびＢＤ用有限系対物レンズ１０５を備えている。また、ＤＶＤ／ＣＤ用光学系として、ＤＶＤ／ＣＤ用ＬＤユニット１０４、ＤＶＤ／ＣＤ用カップリングレンズ１０９、ＤＶＤ／ＣＤ用立ち上げミラー１０８、およびＤＶＤ／ＣＤ用有限系対物レンズ１０６を備えている。この実施の形態１のレンズ駆動装置２００は、ＢＤ用カップリングレンズ２０５をその光軸方向に移動させるものである。
【００２０】
光ピックアップ装置１０１は、基体としての光ピックアップベース１０２（ベース部材）を備えており、上述したＢＤ用光学系およびＤＶＤ／ＣＤ用光学系は、光ピックアップベース１０２に搭載されている。
【００２１】
ここでは、説明の便宜上、図１において各構成要素が配列された光ピックアップベース１０２の面を、ＸＹ面とする。ＸＹ面において、ＢＤ用カップリングレンズ２０５の光軸方向をＹ方向とし、ＢＤ用カップリングレンズ２０５からＢＤ用ＬＤユニット１０３に向かう方向を＋Ｙ方向とする。また、ＸＹ面において、Ｙ方向に直交する方向をＸ方向とし、＋Ｙ方向を向いて右手方向を＋Ｘ方向とする。また、対物レンズ１０５（１０６）の光軸方向を、ＸＹ面に直交するＺ方向とし、光ピックアップベース１０２から対物レンズ１０５（１０６）に向かう方向を＋Ｚ方向とする。
【００２２】
図２は、ＢＤ用光学系のＢＤ用カップリングレンズ２０５を駆動するためのレンズ駆動装置２００を示す斜視図である。図３は、レンズ駆動装置２００の可動部分を示す斜視図である。
【００２３】
図２に示すように、ＢＤ用レンズ駆動装置２００は、Ｙ方向に延在する互いに平行なガイドシャフト２０１，２０２を備えている。これらガイドシャフト２０１，２０２は、光ピックアップベース１０２に、それぞれシャフト取付部２１５，２１６およびシャフト取付部２１７，２１８を介して固定されている。ガイドシャフト２０１，２０２のうち、外径の太いガイドシャフト２０１は主ガイドシャフト（第１のガイドシャフト）である。一方、外径の細いガイドシャフト２０２は、副ガイドシャフト（第２のガイドシャフト）である。
【００２４】
主ガイドシャフトであるガイドシャフト２０１の外周面には、円筒状のベアリング２１２が摺動可能に取り付けられている。ベアリング２１２は、その内面を滑り面とする円筒状部材であり、ガイドシャフト２０１の外周面に対して摺動可能に、なお且つ隙間なく取り付けられている。
【００２５】
図３に示すように、ガイドシャフト２０１，２０２には、ＢＤ用カップリングレンズ２０５を保持するレンズホルダ２０３が支持されている。レンズホルダ２０３は、ＢＤ用カップリングレンズ２０５が取り付けられたレンズ枠部２０３ａを有している。レンズ枠部２０３ａのガイドシャフト２０２側（−Ｘ側）の端部には、ガイドシャフト２０２に摺動可能に係合する溝部２０３ｇ（摺動部）が形成されている。
【００２６】
レンズ枠部２０３ａのガイドシャフト２０１側（＋Ｘ側）に隣接して、被案内部２０３ｂが形成されている。被案内部２０３は、ガイドシャフト２０１に取り付けられたベアリング２１２の外周面（円筒面）に＋Ｚ側から当接する当接面２０３ｃ（図４）と、ベアリング２１２に−Ｘ側から当接する当接面２０３ｄ（図４）とを有している。なお、当接面２０３ｃの高さ（Ｚ方向位置）は、例えば、レンズ枠部２０３ａに保持されたカップリングレンズ２０５の光軸の高さとほぼ同じである。
【００２７】
被案内部２０３ｂには、この被案内部２０３ｂに対してベアリング２１２を一体に固定するためのベアリング固定部材２１３が、止めねじ２１４により固定されている。ベアリング固定部材２１３は、例えば金属製の板状部材を、被案内部２０３ｂの＋Ｚ側の面と＋Ｘ側の面に沿うように略Ｌ字状に屈曲し、さらに、下端部２１３ａをベアリング２１２の円筒面に当接するように屈曲したものである。ベアリング２１２は、ベアリング固定部材２１３および止めねじ２１４により、レンズホルダ２０３の当接面２０３ｃ，２０３ｄに円筒面が隙間なく当接した状態で固定されるため、レンズホルダ２０３に対するベアリング２１２の取り付け精度が確保される。
【００２８】
レンズホルダ２０３の被案内部２０３ｂには、＋Ｙ方向に突出する略円柱状の突起部２０３ｅが形成されている。突起部２０３ｅの外周面（円筒面）には、コイルスプリング２０６が巻き回されている。なお、突起部２０３ｅは、上述した当接面２０３ｃ（図４）の近傍でなお且つ上方（＋Ｚ側）に位置している。また、突起部２０６に巻き回されるコイルスプリング２０６は、ここでは、レンズホルダ２０３の当接面２０３ｃ，２０３ｄに当接するベアリング２１２に対してほぼ直上に位置している。突起部２０３ｅの先端には、Ｄ字状の断面を有する係合部２０３ｆが形成されており、コイルスプリング２０６の屈曲された一端部２０６ａが係合している。
【００２９】
コイルスプリング２０６としては、例えば、巻き径（外径）が３ｍｍ、線径が０．１０ｍｍ〜０．１５ｍｍのものを用いる。また、コイルスプリング２０６の他端部（突起部２０３ｅの根元側の端部）は、ＸＺ面と略平行な面内において直線状に延在するワイヤ部２０８（線状部分）を構成している。このワイヤ部２０８の長さは、例えば５ｍｍである。
【００３０】
コイルスプリング２０６の巻き線の隙間およびコイルスプリング２０６と突起部２０３ｅとの間には、粘弾性部材２０７が充填されている。
【００３１】
これらレンズホルダ２０３、ベアリング２１２、ベアリング固定部材２１３、コイルスプリング２０６および粘弾性部材２０７は、一体となって可動部を構成している。また、ガイドシャフト２０１にベアリング２１２が摺動可能に装着され、ガイドシャフト２０２にレンズホルダ２０３の溝部２０３ｇが摺動可能に係合することにより、可動部がガイドシャフト２０１，２０２の軸方向に移動可能に支持されている。
【００３２】
図２に示すように、光ピックアップベース１０２には、レンズ駆動装置２００の駆動源としてのステッピングモータ２０９が、モータ取付部材２１０を介して取り付けねじ２１１により固定されている。ステッピングモータ２０９の出力軸には、Ｙ方向を軸方向とするリードスクリュー２０４が固定されている。リードスクリュー２０４としては、例えば、ピッチが０．１５〜０．２０ｍｍ、リードが３〜４ｍｍのものを用いる。コイルスプリング２０６の上記のワイヤ部２０８は、リードスクリュー２０４の谷部２０４ｂ（隣接するねじ山２０４ａの間）に押圧されている。
【００３３】
ステッピングモータ２０９が回転すると、その出力軸に取り付けられたリードスクリュー２０４が回転し、リードスクリュー２０４の谷部２０４ｂに押圧されたワイヤ部２０８がＹ方向に駆動力を受け、これにより、レンズホルダ２０３、ベアリング２１２、ベアリング固定部材２１３、コイルスプリング２０６および粘弾性部材２０７を含む可動部が、ガイドシャフト２０１，２０２に沿ってＹ方向に移動する。
【００３４】
＜レンズ駆動装置の組立て方法＞
図４は、レンズ駆動装置２００の組み立て方法（すなわち、レンズ駆動装置２００の光ピックアップ装置１０１への取り付け方法）を説明するための分解斜視図である。
【００３５】
まず、光ピックアップベース１０２に設けたシャフト取付部２１５，２１６およびシャフト取付部２１７，２１８に、ガイドシャフト２０１およびガイドシャフト２０２をそれぞれ取り付ける。シャフト取付部２１５〜２１８は、いずれも上方（＋Ｚ側）に開口した溝部を有しており、ガイドシャフト２０１，２０２は、シャフト取付部２１５〜２１８の溝部に上方（＋Ｚ側）から挿入される。なお、ガイドシャフト２０１には、予めベアリング２１２を取り付けておく。シャフト取付部２１５〜２１８は、切削加工または成型により高い精度で作製されており、これによりガイドシャフト２０１，２０２の高い平行度が得られる。
【００３６】
次に、紫外線硬化型の接着剤を、シャフト取付部２１５，２１６，２１７，２１８とガイドシャフト２０１，２０２に塗布し、紫外線を短時間照射することにより、シャフト取付部２１５，２１６，２１７，２１８とガイドシャフト２０１，２０２とを固定する。
【００３７】
さらに、リードスクリュー２０４を予め取り付けたステッピングモータ２０９を、モータ取付部材２１０を介して光ピックアップベース１０２に取り付けねじ２１１で固定する。
【００３８】
次いで、ＢＤ用カップリングレンズ２０５を予め取り付けたレンズホルダ２０３を、ガイドシャフト２０１，２０２に取り付ける。具体的には、まず、レンズホルダ２０３の溝部２０３ｇを、（シャフト取付部２１７，２１８に取り付けられた）ガイドシャフト２０２に係合させる。このとき、レンズホルダ２０３のコの字状の溝部２０３ｇの奥までガイドシャフト２０２を係合させるようにする。
【００３９】
次に、ガイドシャフト２０２を中心としてレンズホルダ２０３を回動させ、レンズホルダ２０３の被案内部２０３ｂを、（ガイドシャフト２０１に取り付けられた）ベアリング２１２に押し当てる。これにより、被案内部２０３ｂの当接面２０３ｃ，２０３ｄが、ベアリング２１２の円筒面に当接する。さらに、被案内部２０３ｂに、ベアリング固定部材２１３を取り付けねじ２１４により固定し、これによりレンズホルダ２０３とベアリング２１２とを一体に固定する。
【００４０】
このとき、レンズホルダ２０３からリードスクリュー２０４の側に突出しているコイルスプリング２０６の一端のワイヤ２０８は、リードスクリュー２０４の谷部２０４ｂに押し当てられる。これにより、レンズ駆動装置２００の組み立てが完了する。
【００４１】
上述したガイドシャフト２０１，２０２をシャフト取付部２１５〜２１８に取り付ける作業、ステッピングモータ２０９を光ピックアップベース１０２に取り付ける作業、および、レンズホルダ２０３をガイドシャフト２０１，２０２に取り付ける作業は、いずれも同じ側、すなわち光ピックアップベース１０２に対して＋Ｚ側から行うことができる。
【００４２】
＜レンズ駆動装置の作用＞
次に、本実施の形態におけるレンズ駆動装置２００の作用について、比較例と対比して説明する。
【００４３】
図５は、比較例によるレンズ駆動装置の作用を示す上面図（Ａ）および側面図（Ｂ）である。図６は、実施の形態１におけるレンズ駆動装置２００の作用を示す上面図（Ａ）および側面図（Ｂ）である。
【００４４】
まず、図５の比較例のレンズ駆動装置について説明する。
この比較例では、図５（Ａ）に示すように、カップリングレンズ３０５が取り付けられたレンズホルダ３０３は、互いに平行なガイドシャフト３０１，３０２に案内されている。副ガイドシャフト３０２は、レンズホルダ３０３に形成された溝部３０３ｇ（図５（Ｂ））に摺動可能に係合している。一方、主ガイドシャフト３０１は、実施の形態１とは異なり、レンズホルダ３０３の中央近傍に形成された軸受部３０３ａに挿通されている。
【００４５】
図示しないステッピングモータに固定されたリードスクリュー３０４には、リードナット３１０が螺合しており、このリードナット３１０は、レンズホルダ３０３の凹部３０３ｂにＹ方向に当接している。リードスクリュー３０４が回転すると、リードナット３１０がレンズホルダ３０３をＹ方向に押圧して、レンズホルダ３０３をＹ方向に移動させる。
【００４６】
レンズホルダ３０３とリードナット３１０とが離れないようにするため、レンズホルダ３０３のリードナット３１０と反対の側に、与圧スプリング３０９が配設されている。この与圧スプリング３０９により、レンズホルダ３０３には与圧力Ｆｋｘが常に作用している。また、レンズホルダ３０３のガイドシャフト３０１を中心とした回転方向のガタを生じないよう、予圧スプリング３０９の取り付け時には捩りが加えられ、レンズホルダ３０３に対してトルクＴｋ（図５（Ｂ））を常に作用させ、ガイドシャフト３０２との接触点で予圧力Ｆｔを作用させている。
【００４７】
しかしながら、リードスクリュー３０４とリードナット３１０との接触部における摩擦により、リードスクリュー３０４からリードナット３１０に回転方向の力が伝達されると、この回転方向の力によってリードナット３１０が回転し、レンズホルダ３０３の移動精度（すなわちカップリングレンズ３０５の移動精度）が低下する可能性がある。レンズホルダ３０３とリードナット３１０との接触面における摩擦を完全に無くすことは困難であるため、リードスクリュー３０４の軸方向に直交する面内（特に上記回転方向）の力の発生を抑制することは難しい。
【００４８】
また、リードナット３１０からレンズホルダ３０３に回転方向の力が伝達されると、レンズホルダ３０３が振動する可能性があり、カップリングレンズ３０５による安定した光学補正機能を発揮させることができず、光学補正に時間がかかり、また光学補正精度を低下させる可能性がある。
【００４９】
加えて、比較例のレンズ駆動装置３００を組み立てる際には、リードナット３１０を予めリードスクリュー３０４に螺合させておく必要がある。リードナット３１０をリードスクリュー３０４に螺合させる作業（ねじ込み作業）には時間を要するため、組立性が良くない。また、リードナット３１０には耐久性が必要であるため、構造変更や材料変更の毎に性能保証試験を実施する必要があり、安価な材料への変更や、設計変更を短期間に行うことができない。
【００５０】
さらに、レンズホルダ３０３に軸受部３０３ａが一体に形成されているため、レンズホルダ３０３の軸受部３０３ａにガイドシャフト３０１を挿通した後で、ガイドシャフト３０１を光ピックアップ装置１０１のシャフト取付部に取り付ける必要がある。そのため、レンズホルダ３０３を、その軸受部３０３ａにガイドシャフト３０１が挿通された不安定な状態で取り扱わなければならない。レンズホルダ３０３には、カップリングレンズ３０５など光学部品が既に搭載されており、それら光学部品の近傍で、ガイドシャフト３０１を固定するための接着剤の塗布・硬化などの作業を行うことになるため、光学部品への汚れの付着などが生じる可能性がある。
【００５１】
加えて、レンズホルダ３０３の軸受部３０３ａの摩擦力を小さくするためには、予圧スプリング３０９の作用点からできるだけ近い位置にリードナット３１０を配置することが望ましく、従ってリードスクリュー３０４をガイドシャフト３０１，３０２の間に配置することが望ましい。このような配置を実現するためには、レンズホルダ３０３の全長を長くする必要がある。レンズ駆動装置内には、レンズホルダ３０３の全長に、レンズホルダ３０３の移動距離を掛け合わせた大きな空間を確保しなければならないため、レンズホルダ３０３の全長が長いほど、光ピックアップ装置１０１の小型化が難しくなる。
【００５２】
次に、図６を参照して、実施の形態１のレンズ駆動装置２００について説明する。
実施の形態１におけるレンズ駆動装置２００では、図５（Ａ）に示すように、レンズホルダ２０３、カップリングレンズ２０５、ベアリング２１２、コイルスプリング２０６および粘弾性部材２０７により、可動部が構成されている。また、レンズホルダ２０３は、ガイドシャフト２０１，２０２によりＹ方向に案内されている。レンズホルダ２０３の突起部２０３ｅにはコイルスプリング２０６が巻き回されており、コイルスプリング２０６の巻き線の間隙部、および、コイルスプリング２０６とレンズホルダ２０３との間隙部には、粘弾性部材２０７が充填されている。
【００５３】
コイルスプリング２０６のワイヤ部２０８は、リードスクリュー２０４の軸方向（Ｙ方向）に略垂直な面に沿って延在し、リードスクリュー２０４のねじ部の谷部２０４ｂ（リード角に応じて傾斜している）にＺ方向に押圧されている。また、コイルスプリング２０６は、ワイヤ部２０８をリードスクリュー２０４の谷部２０４ｂに押圧する方向に付勢力を生じる向きに巻き回されている。
【００５４】
このように構成されているため、リードスクリュー２０４が回転すると、その谷部２０４ｂに当接しているワイヤ２０８にＹ方向の駆動力が作用する。これにより、レンズホルダ２０３がＹ方向に移動し、このレンズホルダ２０３に搭載されたカップリングレンズ２０５がＹ方向に移動して、所望の光学性能の補正を行う。
【００５５】
上述したように、コイルスプリング２０６のワイヤ部２０８がリードスクリュー２０４の谷部２０４ｂに常に押圧（与圧）されているため、リードスクリュー２０４の正逆回転のいずれにおいてもガタが生じず、レンズホルダ２０３を高い精度でＹ方向に移動させることができる。そのため、図５に示した比較例では不可欠な予圧スプリング３０９を設ける必要が無く、構成部品数を低減することができる。また、与圧スプリング３０９（図５）は、レンズホルダ２０３の移動範囲の全域に亘って与圧を発生させるだけの長さを有する必要があるが、この実施の形態１では、そのような長いコイルスプリングを設ける必要がなく、従ってそのための配設空間も不要となるため、レンズ駆動装置の小型化が容易になる。
【００５６】
ワイヤ部２０８には、リードスクリュー２０４の回転動作に伴って、上下方向（Ｚ方向）の振動や摩擦による接触面方向（Ｘ方向）の振動が伝達される可能性があるが、コイルスプリング２０６とレンズホルダ２０３の突起部２０３ｅとの間隙に充填された粘弾性部材２０７により振動が減衰されるため、レンズホルダ２０３への振動伝達が十分に抑制される。
【００５７】
また、図６（Ｂ）に示すように、コイルスプリング２０６のワイヤ部２０８がリードスクリュー２０４の谷部２０４ｂに押圧される力の反力として、ワイヤ部２０８には、リードスクリュー２０４から予圧力Ｆｓが作用する。この予圧力Ｆｓにより、レンズホルダ２０３を、ガイドシャフト２０１を中心としてガイドシャフト２０２に当接させる方向のトルクＴｓが生じ、このトルクＴｓによりレンズホルダ２０３の溝部２０３ｇがガイドシャフト２０２に当接する（溝部２０３ｇには予圧力Ｆｔとして作用する）。そのため、レンズホルダ２０３の移動時のガタが抑制され、円滑な移動が可能となる。
【００５８】
また、ワイヤ部２０８を有するコイルスプリング２０６（リードスクリュー２０４からの駆動力の伝達部）とベアリング２１２とが、いずれもガイドシャフト２０１の近傍に配置されているため、ベアリング２１２とガイドシャフト２０１との摩擦力を十分に小さくすることができ、コイルスプリング２０６で発生するガイドシャフト２０１の軸方向の振動を抑制することができる。
【００５９】
また、実施の形態１におけるレンズ駆動装置２００では、比較例のようなリードナットを設ける必要が無いため、レンズホルダ２０３にリードナットとの当接箇所を設ける必要も無い。その結果、レンズホルダ２０３の全長を、２本のガイドシャフト２０１，２０２の間隔とほぼ等しい最小長さにすることができ、レンズ駆動装置２００の小型化が可能となる。
【００６０】
また、２本のガイドシャフト２０１，２０２の間にカップリングレンズ２０５を配置することができるため、レンズホルダ２０３の端部近傍にカップリングレンズ２０５を配置した場合（図５（Ｂ）参照）よりも、カップリングレンズ２０５の位置精度を高めることができる。
【００６１】
また、レンズホルダ２０３とベアリング２１２とが別体であるため、レンズホルダ２０３に各部品（カップリングレンズ２０５、コイルスプリング２０６、粘弾性部材２０７、ベアリング固定部材２１３）を取り付けたのち、ガイドシャフト２０１，２０２（ベアリング２１２）に上方から組み付けることができる。すなわち、ガイドシャフト２０１，２０２をシャフト取付部２１５，２１７に上方から取り付け、そのガイドシャフト２０１，２０２にレンズホルダ２０３を上方から取り付けるという、積み上げ式の組み立てが可能となる。
【００６２】
また、レンズホルダ２０３とベアリング２１２とが別体であるため、それぞれに適した素材を選択することができる。例えば、レンズホルダ２０３を樹脂成型により製造し、ベアリング２１２を含油メタルで製造することができる。
【００６３】
また、比較例のようなリードナットのねじ込み作業が不要であるため、光学レンズを搭載したレンズホルダ２０３を最終段階で取り付ける、簡便な組み立てが可能となる。そのため、手作業、自動組立のいずれにおいても、光学レンズの表面、レンズホルダ２０３の摺動面などにおける汚れの付着や傷の発生を防止することができる。
【００６４】
＜変形例＞
上述した実施の形態１において説明したレンズ駆動装置２００および光ピックアップ装置１０１は、小型化等を目的として、以下のような種々の変形が可能である。
【００６５】
例えば、上述した実施の形態１では、ＤＶＤ／ＣＤ用有限系対物レンズ１０６と、カップリングレンズ１０９と、ＢＤ用有限系対物レンズ１０５と、カップリングレンズ２０５とを有する構成により、集光光学系の光軸方向の距離を短く、光束径を小さくし、光ピックアップ装置の小型化に最適な構成を実現していた。
【００６６】
これに対し、対物レンズを無限系対物レンズとし、カップリングレンズに換えてコリメータレンズを用いることも可能である。すなわち、ＢＤ用対物レンズ１０５を無限系対物レンズとし、カップリングレンズ２０５に換えて、入射光束をコリメータ光束とするためのコリメータレンズを用いることができる。また、ＤＶＤ／ＣＤ用対物レンズ１０６を無限系対物レンズとし、カップリングレンズ１０９に換えて、入射光束をコリメータ光束とするためのコリメータレンズを用いることができる。
【００６７】
また、上述した実施の形態１では、半導体レーザーと光検知器が一体化されたレーザーユニットを使用することで、光ピックアップ装置の小型化に最適な構成を実現していた。
【００６８】
これに対し、一体化されたレーザーユニットの代わりに、半導体レーザー、光検知器、プリズム、光学レンズ、ミラーなどを光学筐体に配置したディスクリート型の光学系を用いることも可能である。すなわち、ＢＤ用ＬＤユニット１０３の代わりに、ＢＤ用のディスクリート光学系を用い、ＤＶＤ／ＣＤ用ＬＤユニット１０４の代わりに、ＤＶＤ／ＣＤ用のディスクリート光学系を用いることができる。
【００６９】
また、上述した実施の形態１では、ベアリング固定部材２１３を、取り付けスクリュー２１４によりレンズホルダ２０３に固定していたが、ベアリング固定部材２１３をレンズホルダ２０３と予め一体に形成してもよい。この場合、レンズホルダ２０３の当接面２０３ｃ，２０３ｄをベアリング２１２に当接させた状態で、例えばスナップフィットによりベアリング２１２と一体化させることができる。ベアリング固定部材２１３は、レンズホルダ２０３と同じ材料で形成される。このように構成しても、レンズ駆動装置２００の取り付けを積み上げ方式で効率よく行うことができる。
【００７０】
また、ベアリング２１２とレンズホルダ２０３とを、接着剤を用いて固定しても良い。
【００７１】
また、上述した実施の形態１では、円筒状に巻き回されたコイルスプリング２０６を用いると共に、コイルスプリング２０６の巻き線間、およびコイルスプリング２０６と突起部２０３ｅとの間に粘弾性部材２０７を設けることで振動減衰効果を確保していた。
【００７２】
これに対し、円筒状に巻き回されたコイルスプリング２０６の代わりに、円錐状に巻き回されたスプリングを用いることも可能である。この場合も、上記と同様に粘弾性部材２０７を設けることで、振動減衰効果を得ることができる。
【００７３】
また、コイルスプリング２０６の代わりに、バネ材料からなるシートを、コイルスプリング２０６と同様の押圧力を発生する形状にプレス加工して用いることも可能であり、同様の振動減衰効果を得ることができる。
【００７４】
また、上述した実施の形態１では、レンズホルダ２０３の溝部２０３ｇがガイドシャフト２０２と摺動可能に係合していたが、溝部２０３ｇの代わりに、例えば、予圧力Ｆｔ（図６（Ｂ））を受けることが可能な当接面を形成してもよい。
【００７５】
また、上述した実施の形態１のレンズ駆動装置は、カップリングレンズ等を移動することにより球面収差を補正するものであったが、本発明は、このような構成に限定されるものではなく、レンズを移動することにより何らかの機能を発揮するものであればよい。
【符号の説明】
【００７６】
１０１  光ピックアップ装置、  １０２  光ピックアップベース、  １０３  ＢＤ用ＬＤユニット、  １０４  ＤＶＤ／ＣＤ用ＬＤユニット、  １０５  ＢＤ用対物レンズ、  １０６  ＤＶＤ／ＣＤ用対物レンズ、  １０７  ＢＤ用立ち上げミラー、  １０８  ＤＶＤ／ＣＤ用立ち上げミラー、  １０９  ＤＶＤ／ＣＤ用カップリングレンズ、  ２００  レンズ駆動装置、  ２０１，２０２  ガイドシャフト、  ２０３  レンズホルダ、  ２０３ａ  レンズ枠部、  ２０３ｂ  被案内部、  ２０３ｃ，２０３ｄ  当接面、  ２０３ｅ  突起部、  ２０３ｇ  溝部（摺動部）、  ２０４  リードスクリュー、  ２０４ａ  ねじ山、  ２０４ｂ  谷部、  ２０５  ＢＤ用カップリングレンズ、  ２０６  コイルスプリング、  ２０７  粘弾性部材、  ２０８  ワイヤ部、  ２０９  ステッピングモータ、  ２１０  モータ取付部材、  ２１１  取り付けねじ、  ２１２  ベアリング、  ２１３  ベアリング固定部材、  ２１４  取り付けねじ、  ２１５，２１６，２１７，２１８  シャフト取付部。
【図１】
2011165272.tif 000003
【図２】
2011165272.tif 000004
【図３】
2011165272.tif 000005
【図４】
2011165272.tif 000006
【図５】
2011165272.tif 000007
【図６】
2011165272.tif 000008